(57)【要約】      （修正有）【課題】手袋を装着した状態でタッチパネルを搭載した携帯情報端末を操作性よく操作でき、かつ構成が簡易な手袋を提供する。【解決手段】本手袋１０には、親指部分１の人差指部分２側の側部には親指の先端を外部へ露出させるための第１の指出し用スリット１ａが設けられている。また人差指部分２の親指部分１側の側部には人差指の先端を外部へ露出させるための第２の指出し用スリット２ａが設けられている。【選択図】図２
0003168221.tif 000002
【実用新案登録請求の範囲】
【請求項１】
装着状態で親指の先端まで覆う親指部分と、
装着状態で人差指の先端まで覆う人差指部分とを備え、
前記親指部分の前記人差指部分側の側部には親指の先端を外部へ露出させるための第１の指出し用スリットが設けられており、かつ前記人差指部分の前記親指部分側の側部には人差指の先端を外部へ露出させるための第２の指出し用スリットが設けられている、手袋。
【請求項２】
前記第１の指出し用スリットは親指の第１関節より指先を前記手袋から出せる位置および長さに設けられており、前記第２の指出し用スリットは人差指の第１関節より指先を前記手袋から出せる位置および長さに設けられている、請求項１に記載の手袋。
【請求項３】
前記第１および第２の指出し用スリットの少なくともいずれかが設けられる部分の周囲は、他の部分と異なる編み目を有している、請求項１または２に記載の手袋。
【請求項４】
前記第１および第２の指出し用スリットの少なくともいずれかが設けられる部分の周囲の編み目はタック編みと平編みとが組み合わされた編み目を有し、前記他の部分の編み目は平編みを有している、請求項３に記載の手袋。
【請求項５】
装着状態で中指の先端まで覆う中指部分をさらに備え、
前記中指部分の前記親指部分側の側部には中指の先端を外部へ露出させるための第３の指出し用スリットが設けられている、請求項１〜４のいずれかに記載の手袋。
【請求項６】
前記手袋はニット製品である、請求項１〜５のいずれかに記載の手袋。
【請求項７】
前記手袋はカットソー製品である、請求項１または２に記載の手袋。
【考案の詳細な説明】
【技術分野】
【０００１】
本考案は、手袋に関するものであり、特に、タッチパネルを搭載した携帯情報端末の使用に適した手袋に関するものである。
【背景技術】
【０００２】
近年、スマートフォン、携帯電話、携帯ゲーム機などの携帯情報端末としてタッチパネルを搭載した製品の普及が進んでいる。このようなタッチパネルの中でも、特に静電容量方式のタッチパネルは、操作者の指先と導電膜との間での静電容量の変化を捉えて位置を検出するものである。このため、冬場などにおいて操作者が手袋を装着した状態で操作すると、静電容量の変化を捉えることが困難となり、タッチパネルをうまく操作することができない。
【０００３】
上記のような手袋を装着したままでのタッチパネルの操作性を考慮した手袋が、たとえば実用新案登録第３１６０２１１号公報（特許文献１）に開示されている。この特許文献１には、手袋の親指袋と人差指袋との先端部を導電性繊維の糸で編成し、それ以外の部分を導電性を有しない繊維の糸で編成した手袋が開示されている。この手袋では、親指袋と人差指袋との先端部で導電性を得ることができるため、手袋を装着したままで静電容量方式のタッチパネルを操作することができる。
【０００４】
また上記と同様に、指先のタッチパネル操作面に導電体を具備した手袋が特開２００８−８１８９６号公報（特許文献２）に開示されている。
【０００５】
また手袋を装着したままで携帯電話を操作するために、親指、人差指、中指の各側面に一部切口を設けた手袋が実用新案登録第３０８７６１４号公報（特許文献３）に開示されている。
【０００６】
また手袋を装着したままで携帯電話などのボタン操作をするために、親指部分に開き口を作り、親指だけをその開き口から出し入れできる手袋が特開２００２−３０２８１６号公報（特許文献４）に開示されている。
【先行技術文献】
【特許文献】
【０００７】
【特許文献１】実用新案登録第３１６０２１１号公報
【特許文献２】特開２００８−８１８９６号公報
【特許文献３】実用新案登録第３０８７６１４号公報
【特許文献４】特開２００２−３０２８１６号公報
【考案の概要】
【考案が解決しようとする課題】
【０００８】
しかしながら、特許文献１および２に記載の手袋では、導電性の部分と非導電性の部分とを設ける必要があり、構成が複雑となる。また手袋越しでの操作となるため操作ミスが生じやすく、操作性が良好ではない。
【０００９】
また特許文献３および４では、携帯電話のボタン操作に向けた手袋であって、タッチパネルの操作に向けたものではないため、タッチパネル操作時の操作性が良好ではない。たとえば特許文献３では人差指と中指とを手袋から出した時に、手袋の指の入っていない人差指と中指の指先部分が操作時に邪魔となり操作性が良好ではない。また特許文献４では手袋から出すことができる指が親指だけであり、親指だけでタッチパネルを操作するには無理があるため操作性が良好ではない。
【００１０】
本考案は、上記の課題を鑑みてなされたものであり、その目的は、タッチパネルを搭載した携帯情報端末を手袋を装着した状態で操作性よく操作でき、かつ構成が簡易な手袋を提供することである。
【課題を解決するための手段】
【００１１】
本考案の手袋は、装着状態で親指の先端まで覆う親指部分と、装着状態で人差指の先端まで覆う人差指部分とを備えている。親指部分の人差指部分側の側部には親指の先端を外部へ露出させるための第１の指出し用スリットが設けられており、かつ人差指部分の親指部分側の側部には人差指の先端を外部へ露出させるための第２の指出し用スリットが設けられている。
【００１２】
本考案の手袋によれば、第１および第２の指出し用スリットを設けるだけで、導電性の部分と非導電性の部分とを分ける必要はない。このため、手袋の構造が簡易となる。
【００１３】
また親指部分の人差指部分側の側部に第１の指出し用スリットが設けられているため、親指を第１の指出し用スリットから出したときに親指の指先が挿入されていない指先部分は人差指と反対側に位置することになる。同様に、人差指部分の親指部分側の側部に第２の指出し用スリットが設けられているため、人差指を第２の指出し用スリットから出したときに人差指の指先が挿入されていない指先部分は親指と反対側に位置することになる。このように親指と人差指とを手袋から出した状態では、親指と人差指との間に、指先の挿入されていない指先部分が位置して邪魔することが無いため操作性が良好となる。
【００１４】
また親指と人差指との２つの指で操作できるため、この点からも操作性が良好となる。
上記の手袋において、第１の指出し用スリットが親指の第１関節より指先を手袋から出せる位置および長さに設けられており、第２の指出し用スリットが人差指の第１関節より指先を手袋から出せる位置および長さに設けられている。
【００１５】
これにより携帯情報端末の操作に必要な最低限の指の部分だけを手袋から出すことができ、操作性と防寒性とを両立することができる。
【００１６】
上記の手袋において、第１および第２の指出し用スリットの少なくともいずれかが設けられる部分の周囲は、他の部分と異なる編み目を有している。
【００１７】
これにより第１および第２の指出し用スリットが開き難くすることができ、防寒性をさらに向上させることができる。
【００１８】
上記の手袋において、第１および第２の指出し用スリットの少なくともいずれかが設けられる部分の周囲の編み目はタック編みと平編みとが組み合わされた編み目を有し、他の部分の編み目は平編みを有している。
【００１９】
これにより容易に第１および第２の指出し用スリットの開き難い編みを実現することができる。
【００２０】
上記の手袋においては、装着状態で中指の先端まで覆う中指部分がさらに備えられている。中指部分の親指部分側の側部には中指の先端を外部へ露出させるための第３の指出し用スリットが設けられている。
【００２１】
これにより中指での操作が可能となるとともに、親指、人差指および中指の３本の指先を用いた操作および作業が可能となる。
【００２２】
上記の手袋はニット製品またはカットソー製品である。
【考案の効果】
【００２３】
以上説明したように本考案によれば、タッチパネルを搭載した携帯情報端末を手袋を装着した状態で操作性よく操作でき、かつ構成が簡易な手袋を得ることができる。
【図面の簡単な説明】
【００２４】
【図１】本考案の一実施の形態における手袋の構成を示す概略正面図である。
【図２】本考案の一実施の形態における手袋を装着し、指出し用スリットから親指と人差指とを出した様子を示す概略正面図である。
【図３】本考案の一実施の形態における手袋を装着して、タッチパネルを搭載した携帯情報端末を操作する様子を示す概略斜視図である。
【図４】本考案の他の実施の形態における手袋の構成を示す概略正面図である。
【図５】本考案のさらに他の実施の形態における手袋の構成を示す概略正面図である。
【図６】本考案のさらに他の実施の形態における手袋を装着し、指出し用スリットから親指と人差指と中指とを出した様子を示す概略正面図である。
【考案を実施するための形態】
【００２５】
以下、本実施の形態について図に基づいて説明する。
図１を参照して、本実施の形態の手袋１０は、親指部分１と、人差指部分２と、中指部分３と、薬指部分４と、小指部分５と、手の平および甲の部分６とを有している。それぞれの指部分１〜５の各々は、それぞれの指の指先まで覆えるように構成されている。また、それぞれの指部分１〜５の各々は、指の付け根に対応する箇所で手の平および甲の部分６に接続されている。
【００２６】
親指部分１の人差指部分２側の側部には親指の先端を外部へ露出させるための第１の指出し用スリット１ａが設けられている。また人差指部分２の親指部分１側の側部には人差指の先端を外部へ露出させるための第２の指出し用スリット２ａが設けられている。それ以外の中指部分３、薬指部分４および小指部分５には、指を手袋の外部へ出すためのスリットは設けられていない。
【００２７】
第１の指出し用スリット１ａは親指の第１関節より指先を手袋１０から出せる位置および長さに設けられていることが好ましい。また同様に、第２の指出し用スリット２ａは人差指の第１関節より指先を手袋１０から出せる位置および長さに設けられていることが好ましい。
【００２８】
第１および第２の指出し用スリット１ａ、２ａの各々は、親指または人差指の延びる方向に沿って延びていることが好ましい。また手袋１０がニット（メリヤス）の場合には、第１および第２の指出し用スリット１ａ、２ａの少なくともいずれかが設けられる部分の周囲１ｂ、２ｂは、他の部分と異なる編み目を有していることが好ましい。これにより手袋１０を装着したときに、第１および第２の指出し用スリット１ａ、２ａが開き難くなっている。
【００２９】
第１および第２の指出し用スリット１ａ、２ａの少なくともいずれかが設けられる部分の周囲１ｂ、２ｂの編み目はタック編みと平編み（天竺編み）とが組み合わされた編み目を有することが好ましく、他の部分の編み目は平編みを有していることが好ましい。また編み目の異なる周囲１ｂ、２ｂは、第１および第２の指出し用スリット１ａ、２ａのそれぞれと同じ高さ位置で指の周囲全周を取り囲むように設けられていてもよい。
【００３０】
ここでタック編みとは、編針が糸をくわえて前に作ったループの間をくぐり抜けると、ここに新しいループができるが、タック編の場合はこのループをくぐり抜けないで、ループの上に単に重ねておき、次のコースを編む時に初めて２本のループの間をくぐり抜けて、新しいループを作る編み方のことである。具体的な編み方として、「タック編みと平編みとの混成（針１本おきにタック編）」と「平編みのみ」とを１コース（一振り）毎に交互に編成することができる。それにより、編地のたるみ（特に横方向）を大きくし、結果スリットを開き難くさせることができる。
【００３１】
また周囲１ｂ、２ｂの編み目は、タック編みと平編み（天竺編み）とが組み合わされた編み目に限定されず、第１および第２の指出し用スリット１ａ、２ａが開き難くなるような編み方であれば他の編み方であってもよい。
【００３２】
次に、本実施の形態の手袋の使用方法について図２および図３を用いて説明する。
図２を参照して、まず手袋１０が使用者の手に装着される。この際、使用者の各指が手袋１０のそれぞれの指部分１〜５の内部に挿入される。この手袋を装着した状態で、親指の指先が第１の指出し用スリット１ａから出され、かつ人差指の指先が第２の指出し用スリット２ａから出される。
【００３３】
この際、親指部分１の人差指部分２側（図中右側）の側部に第１の指出し用スリット１ａが設けられているため、親指を第１の指出し用スリット１ａから出したときに親指の指先が挿入されていない指先部分１ｃは人差指と反対側に位置することになる。同様に、人差指部分２の親指部分１側（図中左側）の側部に第２の指出し用スリット２ａが設けられているため、人差指を第２の指出し用スリット２ａから出したときに人差指の指先が挿入されていない指先部分２ｃは親指と反対側に位置することになる。このように親指と人差指とを手袋１０から出した状態では、親指と人差指との間に、指先の挿入されていない指先部分１ｃ、２ｃが位置することはない。
【００３４】
図３を参照して、上記のように親指と人差指とを手袋１０から出した状態で、携帯情報端末１１のタッチパネル１２を親指と人差指との各指先で操作することができる。
【００３５】
次に、本実施の形態の作用効果について説明する。
本実施の形態の手袋１０によれば、図２に示すように、親指と人差指とを手袋１０から出した状態では、親指と人差指との間に、指先の挿入されていない指先部分１ｃ、２ｃが位置することはない。このため、図３に示すように、携帯情報端末１１のタッチパネル１２を親指と人差指との各指先で操作する場合に、親指と人差指との各指先が挿入されていない指先部分１ｃ、２ｃに邪魔されることなく、正確に操作することができ良好な操作性を得ることができる。また親指と人差指との２つの指で操作できるため、この点からも操作性が良好となる。
【００３６】
また手袋１０の第１および第２の指出し用スリット１ａ、２ａを設ければよく、導電性の部分と非導電性の部分とを分ける必要はない。このため、手袋１０の構造が簡易となる。
【００３７】
以上により、防寒性を確保しながらも、手袋１０の構造を簡易にでき、かつ携帯情報端末１１の良好な操作性を得ることができる。
【００３８】
なお上記においては、手袋１０がたとえばニットよりなる場合について説明したが、図４に示すようにカットソー（縫製）よりなっていてもよい。カットソーとは、編んだ生地を裁断・縫製して作られる衣服のことであり、本明細書において裁断・縫製されないニットと区別される。
【００３９】
図４を参照して、手袋１０がカットソーよりなる場合であっても、親指部分１の人差指部分２側の側部には親指の先端を外部へ露出させるための第１の指出し用スリット１ａが設けられている。また人差指部分２の親指部分１側の側部には人差指の先端を外部へ露出させるための第２の指出し用スリット２ａが設けられている。第１および第２の指出し用スリット１ａ、２ａの各々は、縫製の縫い合わせ部に沿って設けられていてもよい。
【００４０】
なおこれ以外のカットソーの手袋１０の構成は、図１に示したニットの手袋の構成とほぼ同じであるため、同一の要素については同一の符号を付し、その説明を省略する。
【００４１】
またニットおよびカットソーのいずれの手袋１０においても、手の平側には携帯情報端末が手の平から落下することを防止するためのストッパが設けられていてもよい。
【００４２】
上記においては親指部分１と人差指部分２とにのみスリット１ａ、２ａが設けられた構成について説明したが、図５に示すように親指部分１および人差指部分２以外に中指部分３にも第３の指出し用スリット３ａが設けられていてもよい。図５を参照して、この手袋１０においては、中指部分３の親指部分１側の側部には中指の先端を外部へ露出させるための第３の指出し用スリット３ａが設けられている。第３の指出し用スリット３ａは中指の第１関節より指先を手袋１０から出せる位置および長さに設けられていることが好ましい。第３の指出し用スリット３ａは、中指の延びる方向に沿って延びていることが好ましい。また手袋１０がニット（メリヤス）の場合には、第３の指出し用スリット３ａが設けられる部分の周囲３ｂは、他の部分と異なる編み目を有していることが好ましく、その編み目はタック編みと平編み（天竺編み）とが組み合わされた編み目を有することが好ましい。また編み目の異なる周囲３ｂは、第３の指出し用スリット３ａと同じ高さ位置で指の周囲全周を取り囲むように設けられていてもよい。
【００４３】
この第３の指出し用スリット３ａから中指を出すことができるため、中指で携帯情報端末のタッチパネルを操作することができる。また親指、人差指および中指をそれぞれ手袋１０から出すことにより３本の指先でコインを摘むなどの作業も容易となる。
【００４４】
第１〜第３の指出し用スリット１ａ〜３ａの各々は、たとえば図１および図５に示すように手袋１０を手に装着しないで手袋１０を平らにした状態において、手袋１０の外形の輪郭に沿って形成されている。
【００４５】
なお図１においては第１および第２の指出し用スリット１ａ、２ａが分かりやすいように開口した状態で示しているが、実際には上述のとおりスリット１ａ、２ａが開き難い編み方となっているため、スリット１ａ、２ａの開き方は最小限に抑えられている。
【００４６】
今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００４７】
本考案は、静電容量方式のタッチパネルを搭載した携帯情報端末の使用に特に有利に適用され得る。
【符号の説明】
【００４８】
１  親指部分、１ａ  第１の指出し用スリット、１ｂ  第１の指出し用スリットの周囲、１ｃ，２ｃ  指先部分、２  人差指部分、２ａ  第２の指出し用スリット、２ｂ  第２の指出し用スリットの周囲、３  中指部分、３ａ  第３の指出し用スリット、３ｂ  第３の指出し用スリットの周囲、４  薬指部分、５  小指部分、６  手の平または甲部分、１０  手袋、１１  携帯情報端末、１２  タッチパネル。
【図１】
0003168221.tif 000003
【図２】
0003168221.tif 000004
【図３】
0003168221.tif 000005
【図４】
0003168221.tif 000006
【図５】
0003168221.tif 000007
【図６】
0003168221.tif 000008